(57)【特許請求の範囲】
【請求項１】
印字部と用紙搬送部と用紙カッター部とを備えたプリンタ装置を内蔵して連続帳票に印刷を行い印刷済用紙を発行する毎に用紙カッター部で用紙を切断して発行する情報端末において、情報端末の印刷済用紙を取り出す用紙出口にプリンタ装置から排出する連続帳票の排出ルートを屈曲させる用紙ガイド（１２）と、
当該用紙ガイド（１２）に対向させてプリンタ装置から排出する印刷処理済部が切断される前に印刷処理済部を引っ張った際に連続帳票に当接するストッパー（１３）とを備え、
プリンタ装置から排出する印刷処理済部が切断される前に印刷処理済部を引っ張った際に、印刷処理済部を除く連続帳票の排出を阻止する、または、連続帳票の印刷処理済部を切断して排出する、
ことを特徴とする情報端末。
【請求項２】
前記用紙ガイド（１２）は、切断前の印刷処理済部を摺動させる少なくとも３本のリブを備え、連続帳票の幅方向の両端部を摺動させるリブ（４６）を連続帳票の中央部を摺動させるリブ（４５）よりも突出して形成する、
ことを特徴とする請求項１記載の情報端末。
【請求項３】
前記ストッパー（１３）は、プリンタ装置から排出する印刷処理済部が切断される前に印刷処理済部を所定方向から引っ張った際に連続帳票を当接して切断するカッター部（５２）を備え、当該カッター部（５２）は、中央部を凹型形状とし連続帳票の幅方向の両端部に当接するように形成する、
ことを特徴とする請求項１記載の情報端末。
【発明の詳細な説明】
【０００１】
【発明の属する技術分野】
この発明は、プリンタ装置を内蔵して連続帳票に印刷を行い印刷済用紙を発行する毎に用紙を切断して発行する情報端末に関し、特に、プリンタ装置から排出する印刷処理済部が切断される前に印刷処理済部を無理に引っ張った際に、印刷処理済部を除く連続帳票の排出を阻止する。あるいは、連続帳票の印刷処理済部を切断して排出するようにして、連続帳票の盗難や連続帳票の浪費を防止する情報端末に関するものである。
【０００２】
【従来の技術】
百貨店などで発行する金券（商品券）や薬局などで発行する個人情報は情報端末から発行される。この情報端末は、印字部と用紙搬送部と用紙カッター部とを備えたプリンタ装置を内蔵して連続帳票に印刷を行い、印刷済用紙を発行する毎に用紙カッター部で用紙を切断して発行する形態をとっている。
【０００３】
図８は印刷済用紙の発行形態を示す図であり、同図（ａ）は印刷処理を示し、同図（ｂ）は印刷済用紙の発行を示している。たとえば金券３１ａを発行する際は、同図（ａ）において、金額や発行元などが予め印刷され、発行単位ごとに形成したミシン目３０ａを有する折畳み式の連続帳票３０に、発行日や有効期限などの所定の印刷が行われる。すなわち、同図（ａ）に示すように、印刷処理が実行された連続帳票３０は、発行日や有効期限などの所定の印刷が行われた印刷処理済部と、金額や発行元などが予め印刷された印刷未処理部とで構成される。
【０００４】
同図（ｂ）において、印刷処理が終了した後、印刷済用紙３１を発行する毎に用紙カッター部で印刷処理済部を切断して発行する。用紙の切断は、連続帳票３０の裏面に設けた図示しない識別マークを認識した後、用紙カッター部を作動させて連続帳票３０のミシン目３０ａを切断することになる。
【０００５】
図９は従来技術の図を示す。同図において、情報端末の概観を説明する。情報端末１０１は、装置内部にプリンタ装置と、制御部とを備えている。また、プリンタ装置へ連続帳票をセットするなど必要な保守作業を行うために、必要時に開閉可能なカバー１１１を備えている。さらに、カバー１１１は、操作者を特定するためにたとえば会員証カードを挿入するカード挿入口１１８と、表示と操作入力とを可能とするタッチパネルからなる表示部１１６と、金券や個人情報などの印刷済用紙を排出する用紙出口１１７とを備えている。
【０００６】
図１０は従来技術の図を示す。同図において、情報端末から発行する印刷済用紙の発行形態を説明する。プリンタ装置１２０は、印字部１２１と、用紙搬送部１２２と、用紙カッター部１２３とを備えている。折畳み式の連続帳票３０は、ガイド板１２４によって用紙搬送部１２２に案内され、用紙搬送部１２２は、連続帳票３０を用紙カッター部１２３を経由してカバー１１１に形成する用紙出口１１７へと搬送する。印字部１２１は、搬送される連続帳票３０の所定位置に所定の印刷処理を行う。
【０００７】
図１０（ａ）において、所定の印刷処理を行った後、搬送される連続帳票３０のミシン目３０ａを用紙カッター部１２３を作動させて切断する。操作者がプリンタ装置１２０から排出する印刷処理済部が切断された後に印刷済用紙３１を取り出す場合（通常状態）は、情報端末１０１は前述の図８（ｂ）に示すように金券３１ａなどの印刷済用紙３１のみを排出することになる。
【０００８】
一方、図１０（ｂ）において、所定の印刷処理を行った後、操作者がプリンタ装置１２０から排出する印刷処理済部が切断される前に印刷処理済部を無理に引っ張った場合（異常状態）は、情報端末１０１は前述の図８（ａ）に示すように印刷処理済部と、印刷未処理部とを含む連続帳票３０を排出することになる。
【０００９】
図１１は従来技術の図を示す。同図において、情報端末から発行する他の印刷済用紙の発行形態を説明する。プリンタ装置１２０は、印字部１２１と、用紙搬送部１２２と、用紙カッター部１２３とを備えている。ロール式の連続帳票３０は、ガイド板１２４によって用紙搬送部１２２に案内され、用紙搬送部１２２は、連続帳票３０を用紙カッター部１２３を経由してカバー１１１に形成する用紙出口１１７へと搬送する。印字部１２１は、搬送される連続帳票３０に所定の印刷処理を行う。
【００１０】
図１１（ａ）において、所定の印刷処理を行った後、搬送される連続帳票３０を用紙カッター部１２３を作動させて切断する。操作者がプリンタ装置１２０から排出する印刷処理済部が切断された後に印刷済用紙３１を取り出す場合（通常状態）は、情報端末１０１は個人情報などが印刷された印刷済用紙３１のみを排出することになる。
【００１１】
一方、図１１（ｂ）において、所定の印刷処理を行った後、操作者がプリンタ装置１２０から排出する印刷処理済部が切断される前に印刷処理済部を無理に引っ張った場合（異常状態）は、情報端末１０１は印刷処理済部と、印刷未処理部とを含む連続帳票３０を排出することになる。
【００１２】
なお、用紙搬送部１２２の用紙保持力を強くして印刷処理済部が切断される前に印刷処理済部を無理に引っ張った場合（異常状態）に、連続帳票３０を排出しないようにすることが考えられるが、用紙搬送部１２２の用紙保持力を強くすることには限界がある。
【００１３】
【発明が解決しようとする課題】
前記のごとく、従来の技術では次のような問題点がある。
【００１４】
１）金券を発行する情報端末においては、連続帳票に金額や発行元などを予め印刷して発行に際して印刷処理を削減して発行処理を効率化するようにしているので、プリンタ装置から排出する印刷処理済部が切断される前に印刷処理済部を無理に引っ張った際は、発行すべき金券に加えて、金額や発行元などが予め印刷された連続帳票が排出される。すなわち、、金券の盗難が発生する危険がある。
【００１５】
２）ロール式の連続帳票を用いて個人情報などを発行する情報端末においては、プリンタ装置から排出する印刷処理済部が切断される前に印刷処理済部を無理に引っ張った際は、発行すべき情報を印刷した印刷処理済部と、印刷未処理部とを含む連続帳票が排出される。すなわち、連続帳票の浪費を発生させる原因となる。
【００１６】
３）本発明の課題は、情報端末において、プリンタ装置から排出する印刷処理済部が切断される前に印刷処理済部を無理に引っ張った際に、印刷処理済部を除く連続帳票の排出を阻止する。あるいは、連続帳票の印刷処理済部を切断して排出するようにして、連続帳票の盗難や連続帳票の浪費を防止するものである。
【００１７】
【課題を解決するための手段】
前記の問題点を解決するために、この発明では次のような手段を取る。
【００１８】
プリンタ装置から排出する印刷処理済部が切断される前に印刷処理済部を無理に引っ張った際に、印刷処理済部近傍に応力を発生させる。
【００１９】
上記の手段を取ることにより、印刷処理済部を除く連続帳票の排出を阻止する。あるいは、連続帳票の印刷処理済部を切断して排出するようにする。
【００２０】
【発明の実施の形態】
この発明は、次に示したような実施の形態をとる。
【００２１】
図１に示すように、本発明の情報端末１は、
印字部２１と用紙搬送部２２と用紙カッター部２３とを備えたプリンタ装置２０を内蔵して連続帳票３０に印刷を行い印刷済用紙３１を発行する毎に用紙カッター部２３で用紙を切断して発行する場合において、
情報端末１の印刷済用紙３１を取り出す用紙出口１７にプリンタ装置２０から排出する連続帳票３０の排出ルートを屈曲させる用紙ガイド１２を備える。
【００２２】
上記の実施の形態をとることにより、プリンタ装置から排出する印刷処理済部が切断される前に印刷処理済部を所定の方向から無理に引っ張った際に、用紙ガイドによって屈曲された連続帳票は、用紙ガイドに強く接触することになるので、用紙ガイドは用紙の引き出しを阻止する。またさらに強く引っ張ると用紙ガイドは用紙を切断する。これにより、印刷処理済部を除く連続帳票の排出を阻止する。また、連続帳票の印刷処理済部を切断して排出する。
【００２３】
また、図２に示すように、本発明の情報端末１は、
印字部２１と用紙搬送部２２と用紙カッター部２３とを備えたプリンタ装置２０を内蔵して連続帳票３０に印刷を行い印刷済用紙３１を発行する毎に用紙カッター部２３で用紙を切断して発行する場合において、
情報端末１の印刷済用紙３１を取り出す用紙出口１７にプリンタ装置２０から排出する印刷処理済部が切断される前に印刷処理済部を所定方向から引っ張った際に連続帳票に当接するストッパー１３を備える。
【００２４】
上記の実施の形態をとることにより、プリンタ装置から排出する印刷処理済部が切断される前に印刷処理済部を所定の方向から無理に引っ張った際に、連続帳票はストッパーに当接して連続帳票とストッパーとの間に摩擦力が働き、ストッパーは用紙の引き出しを阻止する。またさらに強く引っ張った場合、連続帳票とストッパーとの間の摩擦力を用紙の引っ張り強さより大きく設定することにより、ストッパーは用紙を引き出す前に用紙を破断する。これにより、印刷処理済部を除く連続帳票の排出を阻止する。また、連続帳票の印刷処理済部を破断して排出する。
【００２５】
また、図３に示すように、本発明の情報端末１は、
印字部２１と用紙搬送部２２と用紙カッター部２３とを備えたプリンタ装置２０を内蔵して連続帳票３０に印刷を行い印刷済用紙３１を発行する毎に用紙カッター部２３で用紙を切断して発行する場合において、
情報端末１の印刷済用紙３１を取り出す用紙出口にプリンタ装置２０から排出する連続帳票３０の排出ルートを屈曲させる用紙ガイド１２と、
当該用紙ガイド１２に対向させてプリンタ装置２０から排出する印刷処理済部が切断される前に印刷処理済部を引っ張った際に連続帳票３０に当接するストッパー１３とを備える。
【００２６】
上記の実施の形態をとることにより、プリンタ装置から排出する印刷処理済部が切断される前に印刷処理済部をあらゆる方向から無理に引っ張った際に、連続帳票は、用紙ガイドの先端に強く接触する、または、ストッパーに当接して連続帳票とストッパーとの間に摩擦力が働く。あるいは、連続帳票は、用紙ガイドの先端に強く接触するとともにストッパーに当接して連続帳票とストッパーとの間に摩擦力が働く。これにより、用紙の引き出しを阻止する。またさらに強く引っ張ると用紙を切断あるいは破断する。したがって、あらゆる方向から印刷処理済部を無理に引張った際に、印刷処理済部を除く連続帳票の排出を阻止する。また、連続帳票の印刷処理済部を切断して排出する。
【００２７】
さらに、図５に示すように、前記用紙ガイド１２は、
プリンタ装置から排出する印刷処理済部が切断される前に印刷処理済部を所定方向から引っ張った際に連続帳票に当接するエッジ部４１を備える。
【００２８】
上記の実施の形態をとることにより、プリンタ装置から排出する印刷処理済部が切断される前に印刷処理済部を無理に引っ張った際に、用紙ガイドによって屈曲された連続帳票は、用紙ガイドの先端に形成したエッジ部に強く接触するから、エッジ部は用紙の引き出しを阻止する。またさらに強く引っ張るとエッジ部は用紙を切断する。
【００２９】
さらに、図５に示すように、前記用紙ガイド１２は、
プリンタ装置から排出する印刷処理済部が切断される前に印刷処理済部を所定方向から引っ張った際に連続帳票に対して接触摩擦力を有する摩擦特性の良好な摩擦部材４２を備える。
【００３０】
上記の実施の形態をとることにより、プリンタ装置から排出する印刷処理済部が切断される前に印刷処理済部を無理に引っ張った際に、連続帳票は摩擦部材に当接して連続帳票と摩擦部材との間に摩擦力が働き、用紙の引き出しを阻止する。またさらに強く引っ張った場合、連続帳票と摩擦部材との間の摩擦力を用紙の引っ張り強さより大きく設定することにより、摩擦部材は用紙を引き出す前に用紙を破断する。
【００３１】
さらに、図６に示すように、前記用紙ガイド１２は、
切断前の印刷処理済部を摺動させる少なくとも３本のリブを備え、
連続帳票の幅方向の両端部を摺動させるリブ４６を連続帳票の中央部を摺動させるリブ４５よりも突出して形成する。
【００３２】
上記の実施の形態をとることにより、プリンタ装置から排出する印刷処理済部が切断される前に印刷処理済部を無理に引っ張った際に、用紙ガイドによって屈曲された連続帳票は、両端部のリブにより用紙幅方向の両端部に引っ張り力が集中して掛かるため、用紙の引き出しを阻止するとともに、強く引っ張った場合、用紙の切断性を向上する。
【００３３】
さらに、図７に示すように、前記ストッパー１３は、
プリンタ装置から排出する印刷処理済部が切断される前に印刷処理済部を所定方向から引っ張った際に連続帳票に対して接触摩擦力を有する摩擦特性の良好な摩擦部材５１を備える。
【００３４】
上記の実施の形態をとることにより、プリンタ装置から排出する印刷処理済部が切断される前に印刷処理済部を無理に引っ張った際に、連続帳票は摩擦部材に当接して連続帳票と摩擦部材との間に摩擦力が働き、用紙の引き出しを阻止する。またさらに強く引っ張った場合、連続帳票と摩擦部材との間の摩擦力を用紙の引っ張り強さより大きく設定することにより、摩擦部材は用紙を引き出す前に用紙を破断する。
【００３５】
さらに、図７に示すように、前記ストッパー１３は、
プリンタ装置から排出する印刷処理済部が切断される前に印刷処理済部を所定方向から引っ張った際に連続帳票を当接して切断するカッター部５２を備える。
【００３６】
上記の実施の形態をとることにより、プリンタ装置から排出する印刷処理済部が切断される前に印刷処理済部を無理に引っ張った際に、連続帳票はカッター部に当接することによって、カッター部は用紙を引き出す前に用紙を切断する。
【００３７】
さらに、図７に示すように、前記カッター部５２は、
中央部を凹型形状とし連続帳票の幅方向の両端部に当接するように形成する。
【００３８】
上記の実施の形態をとることにより、プリンタ装置から排出する印刷処理済部が切断される前に印刷処理済部を無理に引っ張った際に、連続帳票は用紙幅方向の両端部に引っ張り力が集中して掛かるため、用紙の切断性を向上する。
【００３９】
【実施例】
この発明による代表的な実施例を図１ないし図７によって説明する。なお、以下において、同じ箇所は同一の符号を付して有り、詳細な説明を省略することがある。
【００４０】
図４は本発明の実施例の図を示す。同図は情報端末の概観図を示す。
【００４１】
同図において、情報端末１は、装置内部にプリンタ装置と、制御部とを備えている。また、プリンタ装置へ連続帳票をセットするなど必要な保守作業を行うために、必要時に開閉可能なカバー１１を備えている。さらに、カバー１１は、操作者を特定するためにたとえば会員証カードを挿入するカード挿入口１８と、表示と操作入力とを可能とするタッチパネルからなる表示部１６と、金券や個人情報などの印刷済用紙を排出する用紙出口１７とを備えている。
【００４２】
さらに、当該用紙出口１７は、プリンタ装置から排出する連続帳票の排出ルートを屈曲させるために湾曲させた用紙ガイド１２を突出させて形成している。
【００４３】
つぎに、代表的な実施例を詳細に説明する。
【００４４】
図１は本発明の実施例の図を示す。
【００４５】
同図において、プリンタ装置２０は、印字部２１と、用紙搬送部２２と、用紙カッター部２３とを備えている。折畳み式の連続帳票３０は、ガイド板２４によって用紙搬送部２２に案内され、用紙搬送部２２は、連続帳票３０を用紙カッター部２３を経由してカバー１１に形成する用紙出口１７へと搬送する。印字部２１は、搬送される連続帳票３０の所定位置に所定の印刷処理を行う。
【００４６】
さらに、当該用紙出口１７の上部には、プリンタ装置２０から排出する連続帳票３０の排出ルートを屈曲させるために湾曲させた用紙ガイド１２を突出させて形成している。また、カバー１１に形成する用紙出口１７の下部にはカバー１１の前面に突出するテーブルあるいはキーボード１９が設置されている。なお、用紙ガイド１２の詳細は後述する。
【００４７】
つぎに、情報端末から発行する印刷済用紙の発行形態を説明する。
【００４８】
図１（ａ）において、所定の印刷処理を行った後、搬送される連続帳票３０のミシン目３０ａ（図８参照）を用紙カッター部２３を作動させて切断する。操作者がプリンタ装置２０から排出する印刷処理済部が切断された後に印刷済用紙３１を取り出す場合（通常状態）は、情報端末１は前述の図８（ｂ）に示すように金券３１ａなどの印刷済用紙３１のみを排出することになる。なお、用紙出口１７から排出する印刷済用紙３１は、用紙ガイド１２によって下方向に排出ルートが屈曲する。
【００４９】
一方、図１（ｂ）において、所定の印刷処理を行った後、操作者がプリンタ装置２０から排出する印刷処理済部が切断される前に印刷処理済部を無理に引っ張った場合（異常状態）は、情報端末１は印刷処理済部を除く連続帳票３０の排出を阻止する。また、連続帳票３０の印刷処理済部を切断して印刷済用紙３１のみを排出する。
【００５０】
すなわち、プリンタ装置２０から排出する印刷処理済部が切断される前に、印刷処理済部をカバー１１の前面に対して角度αの範囲内で無理に引っ張った際に、用紙ガイド１２によって屈曲された連続帳票３０は、用紙ガイド１２に強く接触することにより、用紙ガイド１２は用紙の引き出しを阻止する。またさらに強く引っ張ると用紙ガイド１２は用紙を切断する。
【００５１】
図２は本発明の実施例の図を示す。
【００５２】
同図において、プリンタ装置２０は、印字部２１と、用紙搬送部２２と、用紙カッター部２３とを備えている。折畳み式の連続帳票３０は、ガイド板２４によって用紙搬送部２２に案内され、用紙搬送部２２は、連続帳票３０を用紙カッター部２３を経由してカバー１１に形成する用紙出口１７へと搬送する。印字部２１は、搬送される連続帳票３０の所定位置に所定の印刷処理を行う。
【００５３】
さらに、当該用紙出口１７の下部には、プリンタ装置２０から排出する印刷処理済部が切断される前に印刷処理済部を所定方向から引っ張った際に連続帳票３０に当接するストッパー１３を突出させて形成している。なお、ストッパー１３の詳細は後述する。
【００５４】
つぎに、情報端末から発行する印刷済用紙の発行形態を説明する。
【００５５】
図２（ａ）において、所定の印刷処理を行った後、搬送される連続帳票３０のミシン目３０ａ（図８参照）を用紙カッター部２３を作動させて切断する。操作者がプリンタ装置２０から排出する印刷処理済部が切断された後に印刷済用紙３１を取り出す場合（通常状態）は、情報端末１は前述の図８（ｂ）に示すように金券３１ａなどの印刷済用紙３１のみを排出することになる。
【００５６】
一方、図２（ｂ）において、所定の印刷処理を行った後、操作者がプリンタ装置２０から排出する印刷処理済部が切断される前に印刷処理済部を無理に引っ張った場合（異常状態）は、情報端末１は印刷処理済部を除く連続帳票３０の排出を阻止する。また、連続帳票３０の印刷処理済部を破断して印刷済用紙３１のみを排出する。
【００５７】
すなわち、プリンタ装置２０から排出する印刷処理済部が切断される前に、印刷処理済部をカバー１１の前面に対して角度βの範囲内で無理に引っ張った際に、連続帳票３０はストッパー１３に当接して連続帳票３０とストッパー１３との間に摩擦力が働き、ストッパー１３は用紙の引き出しを阻止する。またさらに強く引っ張った場合、連続帳票３０とストッパー１３との間の摩擦力を用紙の引っ張り強さより大きくなるように設定することにより、ストッパー１３は用紙を引き出す前に用紙を破断する。
【００５８】
図３は本発明の実施例の図を示す。
【００５９】
同図において、プリンタ装置２０は、印字部２１と、用紙搬送部２２と、用紙カッター部２３とを備えている。折畳み式の連続帳票３０は、ガイド板２４によって用紙搬送部２２に案内され、用紙搬送部２２は、連続帳票３０を用紙カッター部２３を経由してカバー１１に形成する用紙出口１７へと搬送する。印字部２１は、搬送される連続帳票３０の所定位置に所定の印刷処理を行う。
【００６０】
さらに、用紙出口１７の上部には、プリンタ装置から排出する連続帳票の排出ルートを屈曲させるために湾曲させた用紙ガイド１２を突出させて形成している。またさらに、当該用紙出口１７の下部には、プリンタ装置２０から排出する印刷処理済部が切断される前に印刷処理済部を所定方向から引っ張った際に連続帳票３０に当接するストッパー１３を突出させて形成している。
【００６１】
つぎに、情報端末から発行する印刷済用紙の発行形態を説明する。
【００６２】
図３（ａ）において、所定の印刷処理を行った後、搬送される連続帳票３０のミシン目３０ａ（図８参照）を用紙カッター部２３を作動させて切断する。操作者がプリンタ装置２０から排出する印刷処理済部が切断された後に印刷済用紙３１を取り出す場合（通常状態）は、情報端末１は前述の図８（ｂ）に示すように金券３１ａなどの印刷済用紙３１のみを排出することになる。なお、用紙出口１７から排出する印刷済用紙３１は、用紙ガイド１２によって下方向に排出ルートが屈曲する。
【００６３】
一方、図３（ｂ）において、所定の印刷処理を行った後、操作者がプリンタ装置２０から排出する印刷処理済部が切断される前に印刷処理済部を無理に引っ張った場合（異常状態）は、情報端末１は印刷処理済部を除く連続帳票３０の排出を阻止する。また、連続帳票３０の印刷処理済部を切断または破断して印刷済用紙３１のみを排出する。
【００６４】
すなわち、プリンタ装置２０から排出する印刷処理済部が切断される前に、印刷処理済部をカバー１１の前面に対して角度θの範囲内で無理に引っ張った際に、連続帳票３０は、用紙ガイド１２の先端に強く接触する。または、ストッパー１３に当接して連続帳票３０とストッパー１３との間に摩擦力が働く。あるいは、連続帳票３０は、用紙ガイド１２の先端に強く接触するとともにストッパー１３に当接して連続帳票３０とストッパー１３との間に摩擦力が働く。これにより、用紙の引き出しを阻止する。またさらに強く引っ張ると用紙を切断あるいは破断する。
【００６５】
つぎに、前述の用紙ガイドを詳細に説明する。
【００６６】
図５は本発明の実施例の図を示す。
【００６７】
同図（ａ）において、用紙ガイド１２は樹脂成形によって形成され、用紙ガイド１２の内側先端部には例えば樹脂成形におけるパーティングラインからなるエッジ部４１を形成している。エッジ部４１は、プリンタ装置から排出する印刷処理済部が切断される前に印刷処理済部を所定方向から引っ張った際に連続帳票に当接する。
【００６８】
同図（ｂ）において、用紙ガイド１２の内側先端部には表面が摩擦係数の大きい部材からなる摩擦部材４２を形成している。摩擦部材４２は、プリンタ装置から排出する印刷処理済部が切断される前に印刷処理済部を所定方向から引っ張った際に、連続帳票に対して接触摩擦力を発生させるものである。
【００６９】
図５の構成において、プリンタ装置から排出する印刷処理済部が切断される前に印刷処理済部を無理に引っ張った際に、用紙ガイド１２によって屈曲された連続帳票は、用紙ガイドの内側先端部に形成したエッジ部４１に強く接触することにより、エッジ部４１は用紙の引き出しを阻止する。またさらに強く引っ張ると用紙を切断する。また、連続帳票は摩擦部材４２に当接して連続帳票と摩擦部材４２との間に摩擦力が働き、用紙の引き出しを阻止する。またさらに強く引っ張った場合、摩擦部材４２の摩擦特性を連続帳票と摩擦部材４２との間の摩擦力が用紙の引っ張り強さより大きくなるように設定することにより、摩擦部材４２は用紙を引き出す前に用紙を破断する。
【００７０】
図６は本発明の実施例の図を示す。
【００７１】
同図において、用紙ガイド１２は樹脂成形によって形成され、用紙ガイド１２の内側面には連続帳票を摺動させる複数個のリブ４５，４６を形成している。リブ４５は連続帳票の中央部を摺動させる。一方、リブ４６は連続帳票の幅方向の両端部を摺動させる。なお、リブ４６は前記の連続帳票の中央部を摺動させるリブ４５よりも突出するように、用紙ガイド１２の内側面からの高さ寸法をリブ４５に比較して大きくしている。
【００７２】
図６の構成において、プリンタ装置から排出する印刷処理済部が切断される前に印刷処理済部を無理に引っ張った際に、用紙ガイドによって屈曲された連続帳票は、両端部のリブ４６により用紙幅方向の両端部に引っ張り力が集中して掛かるため、用紙の引き出しを阻止するとともに、強く引っ張った場合、用紙の切断性を向上する。
【００７３】
つぎに、前述のストッパーを詳細に説明する。
【００７４】
図７は本発明の実施例の図を示す。
【００７５】
同図（ａ）において、ストッパー１３は、カバー１１に形成する用紙出口の下部の一端に表面が摩擦係数の大きい部材からなる摩擦部材５１を形成している。摩擦部材４２は、プリンタ装置から排出する印刷処理済部が切断される前に印刷処理済部を所定方向から引っ張った際に、連続帳票に対して接触摩擦力を発生させるものである。
【００７６】
同図（ｂ）および同図（ｃ）において、ストッパー１３は、カバー１１に形成する用紙出口の下部の一端から前方に突出するカッター部５２を形成している。カッター部５２は、同図（ｂ）に示すように、樹脂成形で形成し先端部を鋭利に形成してもよい。また、同図（ｃ）に示すように、例えばステンレス板などの薄板で形成してもよい。
【００７７】
カッター部５２はプリンタ装置から排出する印刷処理済部が切断される前に印刷処理済部を所定方向から引っ張った際に連続帳票を当接して切断するものである。なお、カッター部５２の先端部の形状は、同図（ｄ）に示すように、直線的に形成してもよいし、同図（ｅ）に示すように、歯型形状に形成してもよい。
【００７８】
さらに、同図（ｆ）に示すように、中央部を湾曲させた凹型形状にすることが望ましい。中央部を凹型形状とすることでカッター部５２の先端部は、連続帳票の幅方向の両端部に当接するようになる。
【００７９】
図７の構成において、プリンタ装置から排出する印刷処理済部が切断される前に印刷処理済部を無理に引っ張った際に、連続帳票は摩擦部材５１に当接して連続帳票と摩擦部材との間に摩擦力が働き、用紙の引き出しを阻止する。またさらに強く引っ張った場合、摩擦部材５１の摩擦特性を連続帳票と摩擦部材５１との間の摩擦力が用紙の引っ張り強さより大きくなるように設定することにより、摩擦部材５１は用紙を引き出す前に用紙を破断する。
【００８０】
また、プリンタ装置から排出する印刷処理済部が切断される前に印刷処理済部を無理に引っ張った際に、連続帳票はカッター部５２に当接することにより、カッター部５２は用紙を引き出す前に用紙を切断する。また、カッター部５２の先端部の形状において、中央部を湾曲させた凹型形状にすることで、プリンタ装置から排出する印刷処理済部が切断される前に印刷処理済部を無理に引っ張った際に、連続帳票は用紙幅方向の両端部に引っ張り力が集中して掛かるため、用紙の切断性を向上する。
【００８１】
【発明の効果】
以上説明したように本発明によれば、次に示すような効果が期待できる。
【００８２】
情報端末の印刷済用紙を取り出す用紙出口にプリンタ装置から排出する連続帳票の排出ルートを屈曲させる用紙ガイドを備えることにより、プリンタ装置から排出する印刷処理済部が切断される前に印刷処理済部を所定方向から無理に引っ張った際に、用紙ガイドによって屈曲された連続帳票は、用紙ガイドに強く接触することによって、用紙ガイドは用紙の引き出しを阻止する。またさらに強く引っ張ると用紙ガイドは用紙を切断する。これにより、印刷処理済部を除く連続帳票の排出を阻止することができる。また、連続帳票の印刷処理済部を切断して排出するようにして、連続帳票の盗難や連続帳票の浪費を防止することができる。
【００８３】
また、情報端末の印刷済用紙を取り出す用紙出口にプリンタ装置から排出する印刷処理済部が切断される前に印刷処理済部を所定方向から引っ張った際に連続帳票に当接するストッパーを備えることにより、プリンタ装置から排出する印刷処理済部が切断される前に印刷処理済部を無理に引っ張った際に、連続帳票はストッパーに当接して連続帳票とストッパーとの間に摩擦力が働き、ストッパーは用紙の引き出しを阻止する。またさらに強く引っ張った場合、連続帳票とストッパーとの間の摩擦力を用紙の引っ張り強さより大きく設定することによって、ストッパーは用紙を引き出す前に用紙を破断する。これにより、印刷処理済部を除く連続帳票の排出を阻止することができる。また、連続帳票の印刷処理済部を破断して排出するようにして、連続帳票の盗難や連続帳票の浪費を防止することができる。
【００８４】
また、情報端末の印刷済用紙を取り出す用紙出口にプリンタ装置から排出する連続帳票の排出ルートを屈曲させる用紙ガイドと、当該用紙ガイドに対向させてプリンタ装置から排出する印刷処理済部が切断される前に印刷処理済部を引っ張った際に連続帳票に当接するストッパーとを備えることにより、プリンタ装置から排出する印刷処理済部が切断される前に印刷処理済部を無理に引っ張った際に、連続帳票は用紙ガイドの先端に強く接触する。または、ストッパーに当接して連続帳票とストッパーとの間に摩擦力が働く。あるいは、連続帳票は用紙ガイドの先端に強く接触するとともにストッパーに当接して連続帳票とストッパーとの間に摩擦力が働く。これにより、用紙の引き出しを阻止する。またさらに強く引っ張ると用紙を切断あるいは破断する。これにより、あらゆる方向から印刷処理済部を無理に引っ張った際に、印刷処理済部を除く連続帳票の排出を阻止する。また、連続帳票の印刷処理済部を切断して排出するようにして、連続帳票の盗難や連続帳票の浪費を防止することができる。
【００８５】
さらに、前記用紙ガイドは、プリンタ装置から排出する印刷処理済部が切断される前に印刷処理済部を所定方向から引っ張った際に連続帳票に当接するエッジ部を備えることにより、プリンタ装置から排出する印刷処理済部が切断される前に印刷処理済部を無理に引っ張った際に、用紙ガイドによって屈曲された連続帳票は、用紙ガイドの先端に形成するエッジ部に強く接触することにより、エッジ部は用紙の引き出しを阻止することができる。またさらに強く引っ張るとエッジ部で用紙を切断することができる。
【００８６】
さらに、前記用紙ガイドは、プリンタ装置から排出する印刷処理済部が切断される前に印刷処理済部を所定方向から引っ張った際に連続帳票に対して接触摩擦力を有する摩擦特性の良好な摩擦部材を備えることにより、プリンタ装置から排出する印刷処理済部が切断される前に印刷処理済部を無理に引っ張った際に、連続帳票は摩擦部材に当接して連続帳票と摩擦部材との間に摩擦力が働き、用紙の引き出しを阻止する。またさらに強く引っ張った場合、連続帳票と摩擦部材との間の摩擦力を用紙の引っ張り強さより大きく設定することにより、用紙を引き出す前に摩擦部材で用紙を破断することができる。
【００８７】
さらに、前記用紙ガイドは、切断前の印刷処理済部を摺動させる少なくとも３本のリブを備え、連続帳票の幅方向の両端部を摺動させるリブを連続帳票の中央部を摺動させるリブよりも突出して形成することにより、プリンタ装置から排出する印刷処理済部が切断される前に印刷処理済部を無理に引っ張った際に、用紙ガイドによって屈曲された連続帳票は、両端部のリブにより用紙幅方向の両端部に引っ張り力が集中して掛かるため、用紙の引き出しを阻止するとともに、強く引っ張った場合、用紙の切断性を向上することができる。
【００８８】
さらに、前記ストッパーは、プリンタ装置から排出する印刷処理済部が切断される前に印刷処理済部を所定方向から引っ張った際に連続帳票に対して接触摩擦力を有する摩擦特性の良好な摩擦部材を備えることにより、プリンタ装置から排出する印刷処理済部が切断される前に印刷処理済部を無理に引っ張った際に、連続帳票は摩擦部材に当接して連続帳票と摩擦部材との間に摩擦力が働き、用紙の引き出しを阻止することができる。またさらに強く引っ張った場合、連続帳票と摩擦部材との間の摩擦力を用紙の引っ張り強さより大きく設定することにより、用紙を引き出す前に摩擦部材で用紙を破断することができる。
【００８９】
さらに、前記ストッパーは、プリンタ装置から排出する印刷処理済部が切断される前に印刷処理済部を所定方向から引っ張った際に連続帳票を当接して切断するカッター部を備えることにより、連続帳票がカッター部に当接することにより、用紙を引き出す前にカッター部で用紙を切断することができる。
【００９０】
さらに、前記カッター部は、中央部を凹型形状とし連続帳票の幅方向の両端部に当接するように形成することにより、プリンタ装置から排出する印刷処理済部が切断される前に印刷処理済部を無理に引っ張った際に、連続帳票は用紙幅方向の両端部に引っ張り力が集中して掛かるため、用紙の切断性を向上することができる。
【図面の簡単な説明】
【図１】本発明の実施例の図である。
【図２】本発明の実施例の図である。
【図３】本発明の実施例の図である。
【図４】本発明の実施例の図である。
【図５】本発明の実施例の図である。
【図６】本発明の実施例の図である。
【図７】本発明の実施例の図である。
【図８】印刷済用紙の発行形態を示す図である。
【図９】従来技術の図である。
【図１０】従来技術の図である。
【図１１】従来技術の図である。
【符号の説明】
１：携帯端末
１２：用紙ガイド
１３：ストッパー
４１：エッジ部
４２：摩擦部材
４５：リブ
４６：リブ
５１：摩擦部材
５２：カッター部
【図１】
0003653181.tif 000002
【図２】
0003653181.tif 000003
【図３】
0003653181.tif 000004
【図４】
0003653181.tif 000005
【図５】
0003653181.tif 000006
【図６】
0003653181.tif 000007
【図７】
0003653181.tif 000008
【図８】
0003653181.tif 000009
【図９】
0003653181.tif 000010
【図１０】
0003653181.tif 000011
【図１１】
0003653181.tif 000012